(57)【要約】【課題】従来技術の欠点を解消する、個人用衛生用品を製造するための製造機械を提供する。【解決手段】個人用衛生用品は製造機械によって製造される。この製造機械は、或る材料からなる第１の連続ウェブ（３）を所定の供給経路（Ｐ）に沿って導く、第１の供給系（２）と、一連の吸収性パッドを形成するとともに単体のパッドを或る材料からなる第１のウェブ（３）に付与するように作用する、デバイス（９）と、第１のウェブ（３）に最終的に接合される、或る材料からなる第２の連続ウェブ（２０）を供給する、第２の供給系（１９）とを備えており、パッドをそれらウェブの間に挟み込ませて、連続する一連の衛生用品を形成する。パッド形成デバイス（９）は少なくとも１つのカッター（１２）を備えており、このカッター（１２）によって吸収性材料からなる連続バンド（１１）が分割されて一連のパッドを形成するとともに、供給経路（Ｐ）が概ね「Ｓ」字の形態からなる回旋状の軌跡に追従する。【選択図】図１
2015016361.tif 000002
【特許請求の範囲】
【請求項１】
或る材料からなる第１の連続ウェブ（３）を所定の供給経路（Ｐ）に沿って導く、第１の供給手段（２）と、
個人用衛生用品の一連のパッドを用意するとともに、単体のパッドを或る材料からなる前記第１のウェブ（３）に付与する、パッド形成デバイス（９）と、
或る材料からなる第２の連続ウェブ（２０）を、同一の前記第２のウェブ（２０）が前記第１のウェブ（３）と対をなして一連の衛生用品を形成しうるように供給する、第２の供給手段（１９）とを備えた、個人用衛生用品を製造する製造機械であって、
前記パッド形成デバイス（９）が、一連のパッドを形成するように、吸収性材料からなる連続バンド（１１）を分割する少なくとも１つの切除機構部（１２）を備えており、
前記供給経路（Ｐ）が概ね「Ｓ」字の形態をなした軌跡を描くことを特徴とする、製造機械。
【請求項２】
少なくとも前記第１のウェブ（３）が、第１のローラ（１７）および該第１のローラと対をなす第２のローラ（１８）の周りに導かれており、前記第１のローラ（１７）および前記第２のローラ（１８）が協働して「Ｓ」字の形態を有する前記供給経路（Ｐ）を確立する、請求項１に記載の製造機械。
【請求項３】
前記第１のローラ（１７）および前記第２のローラ（１８）が、互いに異なる高さに配置されたそれぞれの回転軸線（Ａ，Ｂ）回りに回転する、請求項２に記載の製造機械。
【請求項４】
前記第１のローラ（１７）の回転軸線（Ａ）が、前記第２のローラ（１８）の回転軸線（Ｂ）よりも高い高さに配置される、請求項３に記載の製造機械。
【請求項５】
前記第１のローラ（１７）または前記第２のローラ（１８）或いはこれら両方に、それぞれゴムでコーティングされた動作面（１７ａ，１８ａ）が備えられている、請求項２から４のいずれか１項に記載の製造機械。
【請求項６】
前記第１のローラ（１７）または前記第２のローラ（１８）或いはこれら両方が真空ローラである、請求項２から５のいずれか１項に記載の製造機械。
【請求項７】
前記パッド形成デバイス（９）が前記第１のローラ（１７）に関連付けられる、請求項２から６のいずれか１項に記載の製造機械。
【請求項８】
当該製造機械が、別個の付属要素を用意するとともに個人用衛生用品に付与する手段（２３）を備えており、かかる手段（２３）が、前記第１のローラ（１７）または前記第２のローラ（１８）或いはこれら両方に隣接する位置を占めている、請求項２から７のいずれか１項に記載の製造機械。
【請求項９】
或る材料からなる前記第２の連続ウェブ（２０）を供給する前記供給手段（１９）が、前記第２のローラ（１８）に関連付けられる、請求項２から８のいずれか１項に記載の製造機械。
【請求項１０】
当該製造機械が、前記第１のローラ（１７）の上流に配置された接着剤のディスペンサ（１６）を備えており、該ディスペンサ（１６）によって、接着剤が或る材料からなる前記第１の連続ウェブ（３）に少なくとも付与される、請求項２から９のいずれか１項に記載の製造機械。
【請求項１１】
前記第１のローラ（１７）および前記第２のローラ（１８）が反対方向に回転する、請求項２から１１のいずれか１項に記載の製造機械。
【発明の詳細な説明】
【技術分野】
【０００１】
本発明は、個人用衛生用品を製造する製造機械に関する。
本発明は、個人用衛生用品、例えば乳幼児用のおむつ（おしめ）、女性向けの生理用ナプキンおよび失禁パッドなどを製造するのに有利に適用される。
【背景技術】
【０００２】
個人用衛生用品を製造するための従来の製造機械は、或る材料からなる第１の連続ウェブを供給する供給手段と、次いで第１のウェブに配置される一連の吸収性パッドを形成するように作用するデバイスとを備えており、ウェブの表面には接着剤が下塗りされている。いわゆるバックシートを形成する第１のウェブは、典型的には不浸透性のプラスチック材料、例えばＰＥＴから形成される。
【０００３】
パッドは、セルロースからなるバンドを供給する供給手段と、セルロースを破砕して繊維からなる非粘着性の塊、すなわちフラフ（ｆｌｕｆｆ）を形成する、粉砕用構成要素とを備えたデバイスによって形成される。
次いでそれら繊維は、パッドを形成するために特別な真空ポケットに集められ、第１のウェブに付与される準備が整う。
或る材料からなる第１のウェブはコンベヤによって担持されるとともに、直線状供給経路に沿って導かれる。例えば、直線状コンベヤは移送ベルトからなる。
パッドは、直線状供給経路に沿った所定の個所において第１のウェブに付与される。その後、同様にこの直線状供給経路に沿って他の別個の部品が形成され、専用の補助系によって生産中の製品に付与される。
【０００４】
例えば乳幼児用おむつ（おしめ）または大人用失禁パッドの場合、閉塞タブを形成するために一連の前方パネルおよび後方パネルが付与されうる。
したがって、個人用衛生用品を製造するための従来技術に係る製造機械においては、すべての組立工程が直線状経路に沿って行われる。
【０００５】
また、従来技術に係る製造機械は、或る材料からなる第２のウェブを供給する供給手段を備えており、第２のウェブは第１のウェブに接合され、パッドがこれら２つのウェブの間に少なくとも挟まれたままになる。
いわゆるトップシートを形成する第２のウェブは、不織布から形成されるとともに、着用者に直接接触して配置される製品の一部を構成する。
組付けられた材料からなる連続ウェブは、切除部署において一連の別個の製品へと分割される。
【０００６】
不都合なことに、従来技術に係る製造機械は或る欠点により影響を被る。
第１に、非粘着性の繊維の塊からなるパッドを使用すると、必然的に、かかる材料を用意するためのライン専用のスペースを特別に設けることが必要になる。結果として、従来の機械の全体の寸法が決定的に大きくなる。
【０００７】
さらに、パッドは高度に不安定であって散逸し易い、非粘着性の材料から形成されるので、それらパッドを第１のウェブに付与した後においてもなお、それらパッドを相当の注意を払って繊細に取扱う必要がある。
【０００８】
したがって、直線状経路に沿った第１のウェブの取扱いが必ずしも常に正確とは限らないことを考慮すると、欠陥製品の数を決して無視できなくなる。特に、第１のウェブは頻繁に位置ずれを起こし、それにより、パッドおよび他の追加の構成要素のうちの少なくとも一方をウェブに配置したときに、それらの配置が不正確になり、欠陥製品を廃棄することが必要になる。
【発明の概要】
【発明が解決しようとする課題】
【０００９】
したがって、本発明の目的は、前述したような従来技術に関連する欠点を解消する、個人用衛生用品を製造するための製造機械を提供することである。
本発明の１つの目的は、特に個人用衛生用品を製造するための、とりわけコンパクトな寸法からなる製造機械を提供することである。
本発明の追加の目的は、個人用衛生用品を製造する製造機械であって、生産中に不良認定される欠陥製品の数を顕著に減少させる製造機械を提供することである。
【課題を解決するための手段】
【００１０】
前述した本発明の目的は、個人用衛生用品を製造する製造機械において概ね実現され、この製造機械の特徴は、添付の特許請求の範囲の１項または２項以上の請求項に記載される。
【図面の簡単な説明】
【００１１】
【図１】概略的な側方立面図にて表した、個人用衛生用品を製造する本発明の製造機械を示す図である。
【図２】概略的な側方立面図にて表した、図１の製造機械の一部を示す図である。
【発明を実施するための形態】
【００１２】
添付図面を補助として用いて例示することにより本発明を詳細に説明する。
添付図面を参照すると、符号１は個人用衛生用品を製造する本発明の製造機械の全体を示している。
【００１３】
当該製造機械１は、各ロール４に始めに巻かれていて或る材料からなる第１の連続ウェブ３を供給する第１の供給手段２を備えている。第１のウェブ３は、不浸透性のプラスチック材料、例えばポリエチレンテレフタレート（ＰＥＴ）から形成されるのが好ましく、バックシートとして一般に知られているものを形成する。
【００１４】
第１の供給手段２は、符号５が付された複数のアイドラテンションローラと、第１のウェブ３を案内するとともに正確な張力を維持する、少なくとも１つの整列システム６とを備えている。
【００１５】
また、説明されるとともに図示される実施形態において、第１の供給手段２は、追加の構成要素を用意するとともにその追加の構成要素を第１のウェブ３に付与する、補助デバイス７を備えている。
【００１６】
補助デバイス７は、追加の構成要素を或る寸法に切除する（ｃｕｔ  ｔｏ  ｓｉｚｅ）とともにそれら追加の構成要素を第１のウェブ３に連続して関連付ける、切除配置機構部８を備えている。
【００１７】
単に実施例によれば、追加の構成要素は、衛生用品に外的に取付けられるプラスチック材料からなるストリップであってもよく、以下において明確になるように、続いてこのストリップに対して、別個の付属要素を取付可能である。
【００１８】
製造機械１は、個人用衛生用品のための一連の吸収性パッドを用意するように作用するパッド形成デバイス９をさらに備えている。パッド形成デバイス９によって形成されるこれらパッドは、その同一のデバイスによって第１のウェブ３に付与されもする。
パッド形成デバイス９は、前もって形成されていて安定した吸収性材料からなる連続バンド１１を供給する供給手段１０と、吸収性材料からなるバンド１１を一連の単体のパッドに分割する、少なくとも１つの切除機構部１２とを備えている。
【００１９】
図示された実施例において、パッド形成デバイス９は、切除機構部１２の上流に配置された切除手段１３を備えていて、吸収性材料からなるバンド１１が２つの別個の部分１１ａ，１１ｂに分割されうるようになっている。
より正確に述べると、２つの切除機構部１２がパッド形成デバイス９に備え付けられており、これら切除機構部１２によって部分１１ａ，１１ｂがバンド１１から切除され、２つのそれぞれのパッド部を形成する。
【００２０】
これら２つの部分は形成ホイール１４において位置決めされるとともに互い違いに配置され、選択された形状に合ったパッドを形成する。
また、パッド形成デバイス９は、単体のパッドを形成ホイール１４から受け取るとともに、その単体のパッドを第１のウェブ３に配置する移送機構部１５を備えている。
図示された実施例において、形成ホイール１４および移送機構部１５のうちの少なくとも一方が真空構成要素であるのが好ましい。
【００２１】
製造機械１は、パッド形成デバイス９の上流に配置されていて第１のウェブ３において動作する、接着剤のディスペンサ１６をさらに備えている。ディスペンサ１６は、第１のウェブ３に或る量の接着剤を下塗りするように形成されており、パッドが同一の第１のウェブ３に安定的に少なくとも付与されることを保証している。
事前に用意された安定した吸収材料を用いて、第１のウェブ３が、概ね「Ｓ」字の形態からなる回旋状の軌跡を描く供給経路「Ｐ」に沿って導かれ、したがって個人用衛生用品を組立てるのに必要なスペースを削減できるのが有利である（図２）。
【００２２】
この目的のために、製造機械１は、第１のローラ１７と、第１のローラと対をなす第２のローラ１８を備えており、第１のウェブ３が、これら第１のローラ１７および第２のローラ１８の周りに巻付けられて連続的に供給される。
第１のローラ１７および第２のローラ１８は互いに接しているとともに、反対方向に回転し、それにより協働して「Ｓ」字の形態からなる供給経路「Ｐ」を確立する。
第１のローラ１７はパッド形成デバイス９に関連付けられるとともに、同一のパッド形成デバイスの下流に配置されている。
【００２３】
より正確に述べると、パッド形成デバイス９の移送機構部１５は、完成したパッドが、形成ホイール１４から第１のローラ１７と重なる個所において第１のウェブ３へと移送されうるように、第１のローラ１７に概ね接して配置される。
結果として、接着剤ディスペンサ１６は第１のローラ１７の上流の位置を占めている。
【００２４】
第１のローラ１７および第２のローラ１８は、符号Ａ，Ｂで示されるそれぞれの軸線において回転し、図示された実施形態では異なる高さに配置されている。
より厳密に述べると、第１のローラ１７の回転軸線Ａは、第２のローラ１８の回転軸線Ｂよりも高い高さに配置されている。
回転軸線Ａ，Ｂをこのように配列すると、製造機械１は依然としてよりコンパクトになる。
【００２５】
第１のローラ１７および第２のローラ１８によってそれぞれもたらされる動作面１７ａ，１８ａは、ゴムでコーティングされるのが有利である。換言すると、動作面１７ａ，１８ａはゴム材料の層で被覆されており（図面には表わされていない）、それにより第１のウェブ３と、２つの動作面１７ａ，１８ａとの間に発生する摩擦によって、ウェブが第１のローラ１７および第２のローラ１８に強固に付着するのが保証されるようになる。次いでこのことによって、第１のウェブ３が前進する際において、第１のウェブ３が正確に案内されうることが保証される。
【００２６】
同様に第１のウェブ３の正確な取扱いを可能にするため、第１のローラ１７および第２のローラ１８は、いずれも吸引面を呈するのが好ましい。
換言すると、ローラ１７，１８の動作面１７ａ，１８ａにおける複数の穴（図示せず）を通る空気の吸引流を生成するように、製造機械１が真空手段（図示せず）を備えている。
【００２７】
製造機械１は、各ロール（図面には表わされていない）に始めに巻かれていて或る材料からなる第２の連続ウェブ２０を供給する、第２の供給手段１９をさらに備えている。第２のウェブ２０は、少なくともパッドが第１のウェブ３に付与された後に、第１のウェブ３に接合される。したがって、パッドは第１のウェブ３と第２のウェブ２０との間に挟み込まれたままになる。
【００２８】
第２のウェブ２０は不織布からなるのが好ましく、トップシートとして一般に知られているものを形成する。第２のウェブ２０の材料は、着用者の身体に直接接触して配置されるものである。
【００２９】
第２の供給手段１９は、符号２１で示される複数のアイドラテンションローラと、第２のストリップ３を案内するとともに正確な張力を維持する、少なくとも１つの整列システム２２とを備えている。
第２の供給手段１９は第２のローラ１８に関連付けられる。したがって、第２のウェブ２０は、第２のウェブ２０が、第１のローラ１７と第２のローラ１８との間の接触部Ｔの個所において、パッドと一緒に第１のローラ１７から前進してくる第１のウェブ３と対をなしうるように、第２のローラ１８に供給される。
【００３０】
組立てられる製品の構成要素は、接触部Ｔの個所においてローラ１７，１８の間で圧縮され、第１のウェブ３と第２のウェブ２０との間の接合作用が向上する。
したがって、組立てられた衛生用品は、順次接合された連続する一連のものとしてローラ１７，１８から現れる。
【００３１】
図示された実施例において、製造機械１は、別個の付属要素を用意するとともにこの別個の付属要素を個人用衛生用品に付与する手段２３をさらに備えている。
図面から分かるように、別個の付属要素を用意するとともに付与するためのかかる手段２３は、第１のウェブ３および第２のウェブ２０の両方において動作する。
この目的のために、当該手段２３は、第１のローラ１７および第２のローラ１８の両方に隣接する位置を占めている。
【００３２】
図示された実施例において、別個の付属要素を用意するとともに付与するための手段２３は、第１のローラ１７に関連付けられた１対の第１のデバイス２４と、第２のローラ１８に関連付けられた１対の第２のデバイス２５とを備えている。
第１のデバイス２４および第２のデバイス２５は、ストリップ材料を供給するそれぞれの供給手段２６，２７と、別個の要素をストリップから切断するそれぞれの切除機構部２８，２９を備えている。
【００３３】
実施例によれば、第１のデバイス２４は、それぞれ第１のウェブ３に関連付けられていて使用時に衛生用品を固定する目的のために必要とされる、一連の前方パネルおよび一連の後方パネルをそれぞれ形成する。
第２のデバイス２５は、第２のウェブが第１のウェブ３に接合される前に、追加の要素をその同一の第２のウェブ２０に付与するように形成されている。
【００３４】
また、製造機械１は、接触部Ｔの個所の下流の個所において第２のローラ１８に隣接して配置される、圧縮により動作する封止ローラ３０を備えている。
符号３１は排出コンベヤ（ｏｕｔｆｅｅｄ  ｃｏｎｖｅｙｏｒ）３１を示しており、前述した連続する一連の衛生用品がこの排出コンベヤ３１に放出される。排出コンベヤ３１は第２のローラ１８に隣接していて、封止ローラ３０の直ぐ下流に配置されている。図示された実施例において、排出コンベヤ３１は直線状移送ベルト３２を備えている。
排出コンベヤ３１にさらに沿って進むと、連続する一連の組立てられた製品が、切除デバイス（図示せず）によって別個のユニットに分割される。
【００３５】
前述した目的は、顕著な利点をもたらす本発明によって達成される。
実際には、事前に用意されていて安定したフラフ材料から形成される吸収性パッドによれば、製造機械において、フラフ材料を処理するのに利用される専用ラインはもはや必要ではなくなる。結果として、製造機械の全体の寸法が顕著に小さくなる。
【００３６】
そのことに加えて、吸収性材料はより実用的に、より容易にかつより迅速に管理されうる。したがって、バックシート材料からなるウェブは、説明されるとともに図示されたように「Ｓ」字の形態からなる回旋経路に沿ってその経路が定められており、生産される製品に悪影響を何ら与えることなく、製造機械の長さがより一層短縮されうる。
さらに、ローラによって確立される「Ｓ」字の形態からなる回旋経路によれば、第１のウェブが正確な位置に非常に容易に維持されうる。
このことは、ひいては製品をより迅速に組立可能でありながら、とりわけ正確性がより高く、生産不良認定の数がより少なくなることを意味する。
【００３７】
最後に、製造機械の全長の短縮は、接着剤が付与される個所と、製品の組立が完了する個所との間の距離が短縮される効果もあるので有利である。したがって、起こりうる製造機械の停止に起因する不良認定の数も同様に減少する。実際には、製造機械の動作が中断された場合、不良認定は、接着剤が付与される個所と、組立が完了する個所との間に配置される未完成の製品、すなわち組立工程が完了しうる前に接着剤が付与され、次いでその粘着性が失われた製品に限定されるであろう。
【図１】
2015016361.tif 000003
【図２】
2015016361.tif 000004
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
或る材料からなっていて連続する第１のウェブ（３）を所定の供給経路（Ｐ）に沿って導く、第１の供給手段（２）と、
個人用衛生用品の一連のパッドを用意するとともに、単体のパッドを或る材料からなる前記第１のウェブ（３）に付与する、パッド形成デバイス（９）と、
或る材料からなっていて連続する第２のウェブ（２０）を、同一の前記第２のウェブ（２０）が前記第１のウェブ（３）と対をなして一連の衛生用品を形成しうるように供給する、第２の供給手段（１９）と、
別個の付属要素を用意するとともに該別個の付属要素を個人用衛生用品に付与する手段（２３）と、を備えた、個人用衛生用品を製造する製造機械であって、
前記パッド形成デバイス（９）が、一連のパッドを形成するように、吸収性材料からなる連続バンド（１１）を分割する少なくとも１つの切除機構部（１２）を備えており、
前記供給経路（Ｐ）が「Ｓ」字の形態をなした軌跡を描くようになっており、
前記第１のウェブ（３）が、第１のローラ（１７）及び前記第１のローラ（１７）と対をなす第２のローラ（１８）の周りに導かれており、前記第１のローラ（１７）及び前記第２のローラ（１８）が組み合わされて「Ｓ」字の形態をなした供給経路（Ｐ）を形成しており、
前記別個の付属要素を用意するとともに該別個の付属要素を個人用衛生用品に付与する手段（２３）が、それぞれ供給手段（２６，２７）及び切除手段（２８，２９）を備えた一対の第１のデバイス（２４，２４）及び一対の第２のデバイス（２５，２５）を備えており、前記一対の第１のデバイス（２４，２４）が、前記第１のローラ（１７）に隣接する位置を占めており、前記一対の第２のデバイス（２５，２５）が、前記第２のローラ（１８）に隣接する位置を占めていることを特徴とする、製造機械。
【請求項２】
前記第１のローラ（１７）および前記第２のローラ（１８）が、互いに異なる高さに配置されたそれぞれの回転軸線（Ａ，Ｂ）回りに回転する、請求項１に記載の製造機械。
【請求項３】
前記第１のローラ（１７）の回転軸線（Ａ）が、前記第２のローラ（１８）の回転軸線（Ｂ）よりも高い高さに配置される、請求項２に記載の製造機械。
【請求項４】
前記第１のローラ（１７）または前記第２のローラ（１８）或いはこれら両方に、それぞれゴムでコーティングされた動作面（１７ａ，１８ａ）が備えられている、請求項１から３のいずれか１項に記載の製造機械。
【請求項５】
前記第１のローラ（１７）または前記第２のローラ（１８）或いはこれら両方が真空ローラである、請求項１から４のいずれか１項に記載の製造機械。
【請求項６】
前記パッド形成デバイス（９）が前記第１のローラ（１７）に関連付けられる、請求項１から５のいずれか１項に記載の製造機械。
【請求項７】
或る材料からなっていて連続する前記第２のウェブ（２０）を供給する前記供給手段（１９）が、前記第２のローラ（１８）に関連付けられる、請求項１から６のいずれか１項に記載の製造機械。
【請求項８】
当該製造機械が、前記第１のローラ（１７）の上流に配置された接着剤のディスペンサ（１６）を備えており、該ディスペンサ（１６）によって、接着剤が或る材料からなっていて連続する前記第１のウェブ（３）に少なくとも付与される、請求項１から７のいずれか１項に記載の製造機械。
【請求項９】
前記第１のローラ（１７）および前記第２のローラ（１８）が反対方向に回転する、請求項１から８のいずれか１項に記載の製造機械。